(57)【要約】【課題】  組み立てが簡単で、スライドがスムーズであり、所望の摩擦力を提供できるカバースライド装置を提供する。【解決手段】  本考案は、２つのスライド溝（１１）を有する固定フレーム（１０）と、前記固定フレーム（１０）に摺動可能に取り付けられるスライド部材（２０）と、前記固定フレーム（１０）との間に設置される弾性体（３０）と、前記固定フレーム（１０）、スライド部材（２０）、及び弾性体（３０）に設けられる位置決めユニットと、を含有することを特徴とする。【選択図】  図２
0003140507.tif 000002
【実用新案登録請求の範囲】
【請求項１】
左右の側壁を内側に折り曲げて形成された２つのスライド溝を有する固定フレームと、
前記固定フレームに摺動可能に取り付けられ、Ｕ字形の本体を有し、該本体の両側にそれぞれ、前記固定フレームのスライド溝と対応する２つのフランジが外側に向かって延設されるスライド部材と、
前記固定フレームとスライド部材との間に設置されると共に、本体部を有し、該本体部の両側からそれぞれ、相対するように２つの湾曲部が延設されている弾性体と、
前記固定フレーム、スライド部材、及び弾性体に設けられ、固定フレームに対して該スライド部材と弾性体とを位置決めするための位置決めユニットと、を含有することを特徴とする、
位置決め機能を有するカバースライド装置。
【請求項２】
前記弾性体は、前記２つの湾曲部のそれぞれが前記本体部の両端から外側斜め下方へ伸びると共に、該本体部が前記スライド部材の本体の内側に当接し、前記２つの湾曲部が前記固定フレームに当接するように取り付けられる請求項１の位置決め機能を有するカバースライド装置。
【請求項３】
前記スライド部材における本体の両側中央部の相対する位置にそれぞれ嵌合孔が貫設され、前記弾性体の本体部の両側にそれぞれ外側に向かって、前記スライド部材の前記嵌合孔に嵌合する嵌合凸部が形成されている請求項２の位置決め機能を有するカバースライド装置。
【請求項４】
前記弾性体における２つの湾曲部は、前記本体部の中央近傍から外側斜め上方に向かって伸び、該本体部は固定フレームと当接すると共に、該湾曲部は、スライド部材の本体と当接している請求項１の位置決め機能を有するカバースライド装置。
【請求項５】
前記スライド部材の本体の両端部近傍に下側に突出する中空の突出部が形成され、該２つの突出部の間に、前記弾性体の湾曲部が位置する請求項４の位置決め機能を有するカバースライド装置。
【請求項６】
前記突出部にねじ山が形成されている請求項５の位置決め機能を有するカバースライド装置。
【請求項７】
前記位置決めユニットは、固定フレームの両側近傍に貫通状に形成される２つの位置決め孔と、前記弾性体における本体部の中央部に下方へ窪むように設けられる位置決め片と、該位置決め片の底部から下方へ突出するように形成された位置決め凸部とを有する請求項１〜３の位置決め機能を有するカバースライド装置。
【請求項８】
前記位置決めユニットは、それぞれが対向して固定フレームの両端側縁近傍に形成される４つの位置決め孔と、弾性体の本体部に設けられた２つの位置決め凸部とを含み、該４つの位置決め孔はそれぞれ固定フレームの側壁を貫通すると共に、その両端に、やや反り上がる傾斜部が設けられている請求項１、４、５、又は６の位置決め機能を有するカバースライド装置。
【請求項９】
前記位置決めユニットは、それぞれが対向して固定フレームの両端側縁近傍に形成される４つの位置決め孔と、スライド部材のフランジの底部に形成された２つの位置決め凸部とを含み、該４つの位置決め孔はそれぞれ固定フレームの側壁を貫通すると共に、その両端に、やや反り上がる傾斜部が設けられている請求項１〜３の位置決め機能を有するカバースライド装置。
【考案の詳細な説明】
【技術分野】
【０００１】
本考案は、電気電子機器のカバー部と本体との間に設置することにより、本体に対してカバー部をスライド可能にする位置決め機能を有するカバースライド装置に関するものである。
【背景技術】
【０００２】
一般的に、カバースライド式電気電子機器（例えば携帯電話、ＰＤＡなど）は、ディスプレイが備えられたカバー部と、配線や入力キーが設けられた本体と、該カバー部と本体との間に設けられたカバースライド装置とを含み、この構造により、カバー部が本体に対してスライドして開閉可能となる。また、従来のカバースライド装置は、図１４に示すように、固定フレーム（４０）と、スライド部材（５０）と、弾性体（６０）と、位置決め片（７０）とを含み、その内スライド部材（５０）は、フランジ（５１）により固定フレーム（４０）のスライド溝（４１）に摺動可能に設置され、該弾性体（６０）は、スライド部材（５０）のフランジ（５１）と固定フレーム（４０）のスライド溝（４１）の底面との間に配置されることにより、スライド部材（５０）のフランジ（５１）底部に位置する２本の帯状部（６１）と、該２本の帯状部（６１）間の両側に設けられ、該２本の帯状部（６１）を接続する２本の連結部（６２）とにより構成され、該位置決め片（７０）は、弾性体（６０）の２本の帯状部（６１）の間に配置され、スライド部材（５０）と固定フレーム（４０）との間における位置決め孔（４２）に嵌合されると共に、中央部に該固定フレーム（４０）の位置決め孔（４２）と対応する位置決め凸部（７１）が凸設されている。
【０００３】
また、前記弾性体（６０）帯状部（６１）の上下側はそれぞれ、電気電子機器のカバーが本体に対して任意の位置に留まることができるよう、スライド部材（５０）のフランジ（５１）と固定フレーム（４０）のスライド溝（４１）の底面を押圧して摩擦力を発生させる。また、位置決め片（７０）の位置決め凸部（７１）が固定フレーム（４０）の位置決め孔（４２）に嵌め込まれることによって、カバーを本体に対して所定の位置に固定することができるよう、位置決め機能を提供することができる。
【考案の開示】
【考案が解決しようとする課題】
【０００４】
しかしながら、従来のカバースライド装置は、以下に示す２つの問題点がある。
１、     弾性体（６０）と位置決め片（７０）とは互いに独立した部材であり、それらを固定する際は、スライド部材（５０）を固定フレーム（４０）に対して押さえ付けるように取り付けなければならなく、更に、それら弾性体（６０）と位置決め片（７０）との間には互いに固定し合う部材を有しないので、組み立てが非常に困難である。
２、     摩擦力を提供する弾性体（６０）の帯状部（６１）は、スライド部材（５０）のフランジ（５１）にのみ接触し、接触面積が小さいことから、スライド部材（５０）が摺動する際に安定しないので、電気電子機器のカバーがスライドする際に揺れが生じやすい。更に、接触面積が小さいことから、その弾力が限られているので、摩擦力も大幅に制限される。
【０００５】
そこで、案出されたのが本考案であって、組み立てが簡単で、スライドがスムーズであり、所望の摩擦力を提供できる位置決め機能を有するカバースライド装置の提供を目的とする。
【課題を解決するための手段】
【０００６】
本考案の請求項１は、左右の側壁を内側に折り曲げて形成された２つのスライド溝（１１）を有する固定フレーム（１０）と、
前記固定フレーム（１０）に摺動可能に取り付けられ、Ｕ字形の本体（２１）を有し、該本体（２１）の両側にそれぞれ、前記固定フレーム（１０）のスライド溝（１１）と対応する２つのフランジ（２２）が外側に向かって延設されるスライド部材（２０）と、
前記固定フレーム（１０）とスライド部材（２０）との間に設置されると共に、本体部（３１）を有し、該本体部（３１）の両側からそれぞれ、相対するように２つの湾曲部（３２）が延設されている弾性体（３０）と、
前記固定フレーム（１０）、スライド部材（２０）、及び弾性体（３０）に設けられ、固定フレーム（１０）に対して該スライド部材（２０）と弾性体（３０）とを位置決めするための位置決めユニットと、を含有することを特徴とする位置決め機能を有するカバースライド装置を提供するものであり、
本考案の請求項２は、前記弾性体（３０）は、前記２つの湾曲部（３２）のそれぞれが前記本体部（３１）の両端から外側斜め下方へ伸びると共に、該本体部（３１）が前記スライド部材（２０）の本体（２１）の内側に当接し、前記２つの湾曲部（３２）が前記固定フレーム（１０）に当接するように取り付けられる請求項１の位置決め機能を有するカバースライド装置を提供するものであり、
本考案の請求項３は、前記スライド部材（２０）における本体（２１）の両側中央部の相対する位置にそれぞれ嵌合孔（２１１）が貫設され、前記弾性体（３０）の本体部（３１）の両側にそれぞれ外側に向かって、前記スライド部材（２０）の前記嵌合孔（２１１）に嵌合する嵌合凸部（３１１）が形成されている請求項２の位置決め機能を有するカバースライド装置を提供するものであり、
本考案の請求項４は、前記弾性体（３０A）における２つの湾曲部（３２A）は、前記本体部（３１A）の中央近傍から外側斜め上方に向かって伸び、該本体部（３１A）は固定フレーム（１０）と当接すると共に、該湾曲部（３２A）は、スライド部材（２０A）の本体（２１A）と当接している請求項１の位置決め機能を有するカバースライド装置を提供するものであり、
本考案の請求項５は、前記スライド部材（２０A）の本体（２１A）の両端部近傍に下側に突出する中空の突出部（２１１A）が形成され、該２つの突出部（２１１A）の間に、前記弾性体（３０A）の湾曲部（３２A）が位置する請求項４の位置決め機能を有するカバースライド装置を提供するものであり、
本考案の請求項６は、前記突出部（２１２A）にねじ山が形成されている請求項５の位置決め機能を有するカバースライド装置を提供するものであり、
本考案の請求項７は、前記位置決めユニットは、固定フレーム（１０）の両側近傍に貫通状に形成される２つの位置決め孔（１２）と、前記弾性体（３０）における本体部（３１）の中央部に下方へ窪むように設けられる位置決め片（３１２）と、該位置決め片（３１２）の底部から下方へ突出するように形成された位置決め凸部（３１３）とを有する請求項１〜３の位置決め機能を有するカバースライド装置を提供するものであり、
本考案の請求項８は、前記位置決めユニットは、それぞれが対向して固定フレーム（１０A）の両端側縁近傍に形成される４つの位置決め孔（１２A）と、弾性体（３０A）の本体部（３１A）に設けられた２つの位置決め凸部（３１３A）とを含み、該４つの位置決め孔（１２A）はそれぞれ固定フレーム（１０A）の側壁を貫通すると共に、その両端に、やや反り上がる傾斜部（１２１A）が設けられている請求項１、４、５、又は６の位置決め機能を有するカバースライド装置を提供するものであり、
本考案の請求項９は、前記位置決めユニットは、それぞれが対向して固定フレーム（１０A）の両端側縁近傍に形成される４つの位置決め孔（１２A）と、スライド部材（２０B）のフランジ（２２B）の底部に形成された２つの位置決め凸部（２２１B）とを含み、該４つの位置決め孔（１２A）はそれぞれ固定フレーム（１０A）の側壁を貫通すると共に、その両端に、やや反り上がる傾斜部（１２１A）が設けられている請求項１〜３の位置決め機能を有するカバースライド装置を提供するものである。
【考案の効果】
【０００７】
本考案は上記の課題を解決するものであり、使用する時は、スライド部材が電気電子機器のカバーに固定されると共に、固定フレームが電気電子機器の本体に固定されることから、カバーが本体に対してスライドする時、スライド部材に伴い、弾性体が固定フレームに対してスライドするので、以下の効果を有する。
１、     位置決めユニットは、固定フレームとスライド部材と弾性体に一体に設けられるので、部品数の減少につながると共に、組み立ても容易になる。
２、     弾性体は、スライド部材の本体と直接に当接しているので、弾性体とスライド部材との間の接触面積が増大し、スライド部材が固定フレームに対し安定してスライドすることができる。また、接触面積の増大に伴い、弾力も向上するので、全体の摩擦力を高めることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図２、図７及び図１１に示すように、本考案の位置決め機能を有するカバースライド装置は、固定フレーム（１０，１０Ａ）と、スライド部材（２０，２０Ａ，２０Ｂ）と、弾性体（３０，３０Ａ，３０Ｂ）と、位置決めユニット（符号なし）とを含み、該固定フレーム（１０，１０Ａ）は、長尺状であり、左右の側壁を内側に折り曲げた２つのスライド溝（１１）及び両端部近傍を貫通する少なくとも１つの位置決め孔（１２，１２Ａ）が形成されているが、該固定フレームは、両端部近傍に２つの位置決め孔（１２）が形成されてもよく、或いはそれぞれが対向して固定フレームの両側縁近傍に、固定フレームの側壁を貫通する４つの位置決め孔（１２A）が形成され、その両側に、やや反り上がる傾斜部（１２１A）が設けられてもよい。
【００１０】
図２、図４、図７、図８、図１１及び図１２に示すように、固定フレーム（１０，１０Ａ）に摺動可能に取り付けられるスライド部材（２０，２０Ａ，２０Ｂ）は、Ｕ字形の本体（２１，２１Ａ，２１Ｂ）を含み、その本体（２１，２１Ｂ）の中央部両側の相対する位置にそれぞれ嵌合孔（２１１、２１１Ｂ）が貫設されている。更に、本体（２１，２１Ａ，２１Ｂ）の底部両側近傍にそれぞれねじ山が形成された突出部（２１２，２１２Ａ，２１２Ｂ）が形成されていると共に、本体（２１，２１Ａ，２１Ｂ）の両側に、それぞれ固定フレーム（１０，１０Ａ）のスライド溝（１１，１１Ａ）に摺動可能に係合するフランジ（２２．２２Ａ，２２Ｂ）が外側に向かって延設され、該フランジ（２２Ｂ）の底部における、嵌合孔（２１１Ｂ）と対応する位置に位置決め凸部（２２１Ｂ）が形成されている。
【００１１】
また、図２、図３、図７、及び図１１に示すように、前記弾性体（３０，３０Ａ，３０Ｂ）は、固定フレーム（１０，１０Ａ）とスライド部材（２０，２０Ａ，２０Ｂ）の本体（２１，２１Ａ，２１Ｂ）との間に配置され、それらを押圧して摩擦力を発生すると共に、本体部（３１，３１Ａ，３１Ｂ）及び２つの湾曲部（３２，３２Ａ，３２Ｂ）を含み、該本体部（３１，３１Ｂ）の両側には、スライド部材（２０，２０Ｂ）の嵌合孔（２１１，２１１Ｂ）に嵌合され、弾性体（３０，３０Ｂ）とスライド部材（２０，２０Ｂ）とを固定する嵌合凸部（３１１，３１１Ｂ）が外向きに延設される。そして、前記本体部（３１）の中央部には、その底部から下方へ窪むように形成される位置決め凸部（３１３）を有する位置決め片（３１２）が下方へ沈むように形成される。一方、本体部（３１Ａ）の底部両側にはそれぞれ、位置決め凸部（３１３Ａ）が形成され、２つの湾曲部（３２，３２Ｂ）は、本体部（３１，３１Ｂ）の両端から外側斜め下方伸びるように設けられると共に、２つの湾曲部（３２Ａ）は、本体部（３１Ａ）の中央近傍から外側斜め上方へ向かって伸び、スライド部材（２０Ａ）の２つの突出部（２１２Ａ）の内側壁にそれぞれ当接し、弾性体（３０Ａ）とスライド部材（２０Ａ）とを固定している。更に、弾性体（３０，３０Ｂ）は、本体部（３１，３１Ｂ）によりスライド部材（２０，２０Ｂ）の本体（２１，２１Ｂ）に当接されると共に、湾曲部（３２，３２Ｂ）により固定フレーム（１０，１０Ａ）に当接されるが、弾性体（３０Ａ）は、本体部（３１Ａ）により固定フレーム（１０Ａ）に当接され、湾曲部（３２Ａ）によりスライド部材（２０Ａ）の本体（２１Ａ）に当接される。
【００１２】
本考案を使用する時は、固定フレーム（１０，１０Ａ）を、電気電子機器の本体に固定し、スライド部材（２０，２０Ａ，２０Ｂ）を、電気電子機器のカバーに固定する。この構成により、カバーが本体に対してスライドすると、スライド部材（２０，２０Ａ，２０Ｂ）の動きに伴い、弾性体（３０，３０Ａ，３０Ｂ）が固定フレーム（１０，１０Ａ）に対してスライドする。
【００１３】
前記位置決めユニットは、スライド部材（２０，２０Ａ，２０Ｂ）と弾性体（３０，３０Ａ，３０Ｂ）を、固定フレーム（１０，１０Ａ）に対してスライドさせる際、カバーを予め決めておいた固定位置に位置決めできるようにするためのものであり、固定フレーム（１０，１０Ａ）と、スライド部材（２０，２０Ａ，２０Ｂ）と、弾性体（３０，３０Ａ，３０Ｂ）にそれぞれ設けられている。
【００１４】
図１〜図５に示すように、本考案の第１実施例における位置決めユニットは、固定フレーム（１０）に設けられた位置決め孔（１２）と、弾性体（３０）の位置決め片（３１２）に設けられた位置決め凸部（３１３）とを含み、この構成の場合、カバーをスライドさせた際、カバーが、予め決めておいた本体上の位置に位置決めできるように、位置決め凸部（３１３）が位置決め孔（１２）に嵌合できるようになっている。
【００１５】
図６〜図９に示すように、本考案の第２実施例における位置決めユニットは、固定フレーム（１０Ａ）に設けられた位置決め孔（１２Ａ）と、弾性体（３０Ａ）の本体部（３１Ａ）に設けられた位置決め凸部（３１３Ａ）とを含み、この構成の場合、カバーをスライドさせた際、カバーが、予め決めておいた本体上の位置に位置決めできるように、位置決め凸部（３１３Ａ）が位置決め孔（１２Ａ）の傾斜部（１２１Ａ）の間に嵌合できるようになっている。
【００１６】
又、図１０〜図１３に示すように、本考案の第３実施例における位置決めユニットは、固定フレーム（１０Ａ）に設けられた位置決め孔（１２Ａ）の傾斜部（１２１Ａ）と、スライド部材（２０Ｂ）のフランジ（２２Ｂ）に設けられた位置決め凸部（２２１Ｂ）とを含み、この構成の場合、カバーをスライドさせた際、カバーが、予め決めておいた本体上の位置に位置決めできるように、位置決め凸部（２２１Ｂ）が位置決め孔（１２Ａ）の傾斜部（１２１Ａ）の間に嵌合できるようになっている。
【図面の簡単な説明】
【００１７】
【図１】本考案の第１実施例の斜視図。
【図２】本考案の第１実施例の分解斜視図。
【図３】本考案の第１実施例の拡大側面断面図。
【図４】本考案の第１実施例の作動上状態を示す断面図。
【図５】本考案の第１実施例の他の作動状態を示す断面図。
【図６】本考案の第２実施例の斜視図。
【図７】本考案の第２実施例の分解斜視図。
【図８】本考案の第２実施例の作動状態を示す断面図。
【図９】本考案の第２実施例の他の作動状態を示す断面図。
【図１０】本考案の第３実施例の斜視図。
【図１１】本考案の第３実施例の分解斜視図。
【図１２】本考案の第３実施例の作動状態を示す断面図。
【図１３】本考案の第３実施例の他の作動状態を示す断面図。
【図１４】従来のカバースライド装置の斜視図。
【符号の説明】
【００１８】
１０，１０Ａ                    固定フレーム
１１，１１Ａ                    スライド溝
１２，１２Ａ                    位置決め孔
１２１Ａ                        傾斜部
２０，２０Ａ，２０Ｂ            スライド部材
２１，２１Ａ，２１Ｂ            本体
２１１，２１１Ｂ                嵌合孔
２１２，２１２Ａ，２１２Ｂ      突出部
２２，２２Ａ，２２Ｂ            フランジ
２２１Ｂ                        位置決め凸部
３０，３０Ａ，３０Ｂ            弾性体
３１，３１Ａ，３１Ｂ            本体部
３１１，３１１Ｂ                嵌合凸部
３１２                          位置決め片
３１３，３１３Ａ                位置決め凸部
３２，３２Ａ，３２Ｂ            湾曲部
４０                            固定フレーム
４１                            スライド溝
４２                            位置決め孔
５０                            スライド部材
５１                            フランジ
６０                            弾性体
６１                            帯状部
６２                            連結部
７０                            位置決め片
７１                            位置決め凸部
【図１】
0003140507.tif 000003
【図２】
0003140507.tif 000004
【図３】
0003140507.tif 000005
【図４】
0003140507.tif 000006
【図５】
0003140507.tif 000007
【図６】
0003140507.tif 000008
【図７】
0003140507.tif 000009
【図８】
0003140507.tif 000010
【図９】
0003140507.tif 000011
【図１０】
0003140507.tif 000012
【図１１】
0003140507.tif 000013
【図１２】
0003140507.tif 000014
【図１３】
0003140507.tif 000015
【図１４】
0003140507.tif 000016